(57)【要約】【課題】  梱包材料を大幅に削減しながら、外部からの力に対して弱い部分や外部からの力に対して容易に可動する部分を荷扱いする人に認識させて注意を喚起させ、結果として、梱包された被梱包物の取扱いや運搬等を安定的におこなう。【解決手段】  外部からの力に対して弱い部分ａを備えている被梱包物Ａを梱包する梱包体であって、外部からの力を緩和する梱包本体１の少なくとも一つの梱包面に外部からの力に対して弱い部分ａに臨む開口部２を形成している。【選択図】        図１
2005280720.tif 000002
【特許請求の範囲】
【請求項１】
外部からの力に対して弱い部分を備えている被梱包物を梱包する梱包体であって、外部からの力を緩和する梱包本体の少なくとも一つの梱包面に外部からの力に対して弱い部分に臨む開口部を形成していることを特徴とする梱包体。
【請求項２】
被梱包物の本体部より一部が突出して外部からの力に対して可動する突出部を備えた被梱包物を梱包する梱包体であって、上記突出部を梱包する突出梱包部に外部からの力により可動する突出部に臨む開口部を形成していることを特徴とする梱包体。
【請求項３】
開口部は、外部からの力に弱い部分または外部からの力により可動する突出部を視認することができる大きさにしていることを特徴とする請求項１または２記載の梱包体。
【請求項４】
開口部は、略透明材料にて覆っていることを特徴とする請求項１または２記載の梱包体。
【請求項５】
梱包本体とこれより突出する突出梱包体とで略Ｌ字状となる請求項２記載の梱包体の二個を対に組み合わせた梱包構造であって、突出梱包体の突出内側面を対向する梱包体の梱包本体の側端に当接し、かつ、対向する梱包体の対向面を面接して対となる梱包体を組み合わせていることを特徴とする梱包構造。
【発明の詳細な説明】
【技術分野】
【０００１】
本発明は、照明器具のように外部からの力に対して弱い部分を備えている被梱包物或いは本体部より一部が突出して外部からの力に対して容易に可動する突出部を備えている被梱包物を梱包する梱包体及びその梱包体を組み合わせた梱包構造に関し、詳しくは、梱包材料を大幅に削減しながら、外部からの力に対して弱い部分や外部からの力に対して可動する部分を荷扱いする人に認識させて注意を喚起させ、結果として、荷扱いを安全にかつ突出部がありながら安定的におこなえるようにしようとする技術に係るものである。
【背景技術】
【０００２】
従来から、被梱包物Ａを収納して梱包する梱包体Ｐａは、例えば、図５及び図６に示すように、段ボール紙等の紙材を使用して立方体の箱形状となるのである。図１（ｂ）に示すように、直管型の蛍光灯を装填する基台７に合成樹脂製のカバー８を取付けている被梱包物Ａを梱包体Ｐａで梱包するのに際して、従来では、図５に示すように、外部からの力に対して弱い部分となるカバー８に対して二重となる蓋片Ｐｂ、Ｐｂで保護したり、内部に空間を設けて外部からの衝撃を緩和するようにしている。
【０００３】
また、図２（ｃ）に示すように、直管型の蛍光灯を装填する基台７にカバー８を取付け、基台７にスポットライト９を首振り可能に回動自在に取付けている被梱包物Ａを梱包するのに際して、従来では、図６に示すように、梱包体Ｐａの内部に緩衝用のパット１０を配設して外からの力に対して突出部ｃとなるスポットライト９が容易に可動しないようにするものである。
【０００４】
このような構成においては、いずれの梱包体Ｐａも立方体となり、また、内部に空間を設けたり、内部に緩衝用のパット１０を配設するなど大量の梱包材料を必要とするのであり、それでいて、梱包体Ｐａを運搬したり、取り扱う場合に、梱包体Ｐａのいずれの箇所が外部からの力に弱い部分ａであるか、また、外部からの力に容易に可動される突出部ｃが存在しているかが不明であり、被梱包物Ａを梱包した梱包体Ｐａの取扱いや運搬等を安定的におこないにくいものである。
【０００５】
ところで、梱包材料を削減するための梱包構造として、特開２００３−１９２０３５号に示すように、梱包箱に開口部を形成し、開口部を封かんテープにて覆うシースルー形態のものが挙げられる。（例えば、特許文献１参照）
上記特許文献１に示される梱包構造にあっては、開口部を形成して開口部を封かんテープにて塞ぐとはいえ、照明器具のような被梱包物の弱い部分や容易に可動する部分は隠されて見えないものであり、弱い部分や容易に可動する部分を備えた被梱包物を梱包した梱包体の取扱いや運搬等が従来通り難しいという問題がある。
【特許文献１】特開２００３−１９２０３５号公報
【発明の開示】
【発明が解決しようとする課題】
【０００６】
本発明は上記の問題点に鑑みて発明したものであって、梱包材料を大幅に削減しながら、外部からの力に対して弱い部分や外部からの力に対して容易に可動する部分を荷扱いする人に見えるように認識させて注意を喚起させ、結果として、外部からの力に対して弱い部分や外部からの力に対して容易に可動する部分を備えた被梱包物を梱包した梱包体の取扱いや運搬等を安全にかつ安定的におこなえる梱包体及び梱包体を組み合わせた梱包構造を提供することを課題とするものである。
【課題を解決するための手段】
【０００７】
請求項１の発明においては、外部からの力に対して弱い部分ａを備えている被梱包物Ａを梱包する梱包体であって、外部からの力を緩和する梱包本体１の少なくとも一つの梱包面に外部からの力に対して弱い部分ａに臨む開口部２を形成していることを特徴とするものである。
【０００８】
このような構成によれば、外部からの力を緩和する梱包本体１の梱包面に開口部２を形成していて梱包材料を削減することができながら、開口部２は外部からの力に対して弱い部分ａに臨んでいて、荷扱いする人に開口部２を透して、例えば、照明器具１２のカバー８のように外部からの力に対して弱い部分ａを視認させることが可能となり、運搬及び取り扱いに注意を喚起させることができ、結果として、外部からの力に対して弱い部分ａを備え被梱包物Ａを梱包した梱包体Ｐの取扱いや運搬等を安全におこなうことができる。
【０００９】
請求項２の発明においては、被梱包物Ａの本体部ｂより一部が突出して外部からの力に対して可動する突出部ｃを備えた被梱包物Ａを梱包する梱包体であって、上記突出部ｃを梱包する突出梱包部３に外部からの力により可動する突出部ｃに臨む開口部２を形成していることを特徴とするものである。
【００１０】
このような構成によれば、被梱包物Ａの突出部ｃを梱包する突出梱包部３に開口部２を形成していて梱包材料を削減することができながら、開口部２は外部からの力に対して可動する突出部ｃに臨んでいて、荷扱いする人に開口部２を透して、例えば、照明器具１２の可動するスポットライト９のような突出部ｃを視認させることが可能となり、運搬及び取り扱いに注意を喚起させることができ、結果として、外部からの力に対して可動する突出部ｃを備え被梱包物Ａを梱包した梱包体Ｐの取扱いや運搬等を安全におこなうことができる。
【００１１】
請求項３の発明においては、開口部２は、外部からの力に弱い部分ａまたは外部からの力により可動する突出部ｃを視認することができる大きさにしていることを特徴とするものである。
【００１２】
このような構成によれば、開口部２より外部からの力に弱い部分ａまたは外部からの力により可動する突出部ｃを確実に視認することができ、一層、荷扱いに注意を喚起でき、開口部２より外部からの力に弱い部分ａまたは外部からの力により可動する突出部ｃを備えた被梱包物Ａを梱包した梱包体Ｐの取扱いや運搬等を安全におこなうことができる。
【００１３】
請求項４の発明においては、開口部２は、略透明材料４にて覆っていることを特徴とするものである。
【００１４】
このような構成によれば、開口部２は略透明材料４にて覆われていて内部を視認できながら、開口部２よりごみ等が侵入するのを防止することができる。
【００１５】
請求項５の発明においては、梱包本体１とこれより突出する突出梱包体３とで略Ｌ字状となる請求項２記載の梱包体Ｐの二個を対に組み合わせた梱包構造であって、突出梱包体３の突出内側面３ａを対向する梱包体Ｐの梱包本体１の側端１ａに当接し、かつ、対向する梱包体Ｐの対向面１ｂ、１ｂを面接して対となる梱包体Ｐ、Ｐを組み合わせていることを特徴とするものである。
【００１６】
このような構成によれば、突出梱包体３の突出内側面３ａを対向する梱包体Ｐの梱包本体１の側端１ａに当接させ、かつ、対向する梱包体Ｐ、Ｐの対向面１ｂ、１ｂを面接させることで、略Ｌ字状となる梱包体Ｐの二個を対に組み合わせて突出部のない略立方体形状にでき、荷扱いが容易となる。この場合、対向する梱包体Ｐ、Ｐを長さ方向の中間部をバンドを巻くなどして連結するようにしておいてもよい。
【発明の効果】
【００１７】
要するに本発明においては、開口部を形成して梱包材料を大幅に削減しながら、外部からの力に対して弱い部分や本体部より突出して外部からの力に対して容易に可動する突出部を荷扱いする人に認識させて注意を喚起させることができるのであり、外部からの力に対して弱い部分や外部からの力に対して容易に可動する部分を備えた被梱包物を梱包した梱包体の取扱いや運搬等を安全にかつ安定的におこなえる。
【発明を実施するための最良の形態】
【００１８】
以下、本発明を添付図面に示す実施の形態に基いて説明する。図１（ａ）は本発明の実施の一形態を示す斜視図、同図（ｂ）は被梱包物の斜視図である。
【００１９】
被梱包物Ａは、例えば、照明器具１２であり、直管型の蛍光灯を装填する基台７に合成樹脂製のカバー８を着脱自在に取付けている。カバー８は外部からの力に対して弱い部分ａとなっている。梱包体Ｐは、例えば、段ボール紙製であり、梱包本体１は略角筒状に製箱されて両端部を開放させて開口部２としている。梱包本体１の底部の四隅に凹入段部１３が形成されて梱包本体１の強度を高めている。
基台７にカバー８を取付けた照明器具１２が略角筒状の梱包本体１の一方の開口部２から挿入され、梱包本体１の両端部において対向している凹入段部１３、１３間に抜止め片１４を渡し、例えば、接着剤や鋲等にて固定して被梱包物Ａの抜止めを図って梱包している。なお、凹入段部１３、１３において被梱包物Ａの抜止めを図るなどして抜止め片１４をなくすなど、梱包体Ｐの形態は変更することができる。被梱包物Ａは照明器具１２以外のものであってもよいのは言うまでもない。
【００２０】
このように、梱包体Ｐの角筒状の梱包本体１の両側端面に開口部２、２を形成してカバー８が見えるようにしていて、梱包材料を削減しながら、開口部２からカバー８が見えて、運搬及び取り扱いに注意を喚起させることができるのであり、外部からの力に対して弱い部分ａを備えた被梱包物Ａを梱包した梱包体Ｐの取扱いや運搬等を安全におこなうことができるのである。
【００２１】
図２（ａ）は他の実施の形態を示す斜視図、同図（ｃ）は被梱包物Ａの斜視図である。
【００２２】
被梱包物Ａは、例えば、照明器具１２であり、直管型の蛍光灯を装填する基台７に合成樹脂製のカバー８を着脱自在に取付け、更に、基台７にスポットライト９を首振りが可能なように回動自在に取付けている。スポットライト９は内部配線にて給電され、首振りによって局部照明する箇所を容易に変更することができるようにしている。梱包体Ｐは、例えば、段ボール紙製であり、梱包本体１は略角筒状に製箱されて両端部を開放させて開口部２としている。梱包本体１の底部の四隅及び上面の長さ方向の中間部の４箇所に凹入段部１３が形成されて梱包本体１の強度を高めている。本体１の上面には切欠き１５が形成されている。
【００２３】
基台７にカバー８を取付け、基台７よりスポットライト９を回動自在に突出させた被梱包物Ａが角筒状の梱包本体１に挿入され、スポットライト９の首部が梱包本体１の切欠き１５に挿入される。スポットライト９にはポリ袋２０を被せている。
【００２４】
スポットライト９を梱包する突出梱包体３は梱包本体１とは別に製箱されていて、角筒状で対向側面に開口部２、２を形成している。突出梱包体３の内部中間には支持片１６を備え、支持片１６と底面片１８に保持孔１９を形成してスポットライト９を挿通して保持できるようにしている。
【００２５】
突出梱包体３の底面片１８と支持片１６の保持孔１９、１９にスポットライト９を挿通して底面片１８を梱包本体１の対向面１ｂの端部に面接させる。この場合、突出梱包体３を梱包本体１に接着剤や鋲等にて連結してもよいが、突出梱包体３より延出された舌片を梱包本体１に形成した切欠きに挿入して折り曲げて連結してもよい。なお、後述する図４の実施の形態においては、連結手段６は他にあるので連結しなくてもよい。
【００２６】
このように、基台７等の本体部ｂよりスポットライト９が突出している被梱包物Ａを梱包する際にも、スポットライト９を梱包する突出梱包部３に開口部２を形成しているのであり、開口部２は外部からの力に対して可動するスポットライト９に臨んでいて、荷扱いする人に開口部２を透して、スポットライト９を視認させることができ、運搬及び取り扱いに注意を喚起させることができ、取扱いや運搬等を被梱包物Ａを損なわないで安全におこなうことができるのである。このような開口部２は、カバー８及びスポットライト９を視認することができる大きさにしている。
【００２７】
本実施の形態においては、梱包本体１に対して突出梱包体３を別に製箱したが、一体的に製箱してもよいものである。
【００２８】
図３は更に他の実施の形態の斜視図である。本実施の形態においては、図１（ｂ）に示す被梱包物Ａを梱包する形態であり、直方体形状に製箱された梱包体Ｐの上面に開口部２を形成している。開口部２をポリエチレン製の略透明材料４にて覆っている。開口部２より内部を視認できながら、ごみ等が侵入するのを防止している。この場合、被梱包物Ａにポリ袋を被せてポリ袋が開口部２を実質的に覆う略透明材料４に兼ねるようにしてもよい。
【００２９】
図４は更に他の実施の形態を示し、梱包本体１とこれより突出する突出梱包体３とで略Ｌ字状となる図２（ａ）で示す梱包体Ｐの二個を対に組み合わせる梱包構造である。
【００３０】
梱包体Ｐの突出梱包体３の突出内側面３ａを対向する梱包体Ｐの梱包本体１の側端１ａに当接し、かつ、対向する梱包体Ｐの対向面１ｂ、１ｂを面接して対となる梱包体Ｐ、Ｐを組み合わせている。突出梱包体３の突出高さと梱包本体１の高さは略等しくしてある。ところで、図４に示すように、本実施の形態では、梱包体Ｐにおいては梱包本体１と突出梱包体３にバンド１１を連結手段６として巻くことで連結している。
【００３１】
このような構成によれば、突出梱包体３の突出内側面３ａを対向する梱包体Ｐの梱包本体１の側端１ａに当接させ、かつ、対向する梱包体Ｐ、Ｐの対向面１ｂ、１ｂを面接させることで、略Ｌ字状となる梱包体Ｐの二個を対に組み合わせて突出部のない略立方体形状にでき、安定した形状として荷扱いが容易となる。
【図面の簡単な説明】
【００３２】
【図１】（ａ）は本発明の実施の一形態を示す斜視図、（ｂ）は被梱包物の斜視図である。
【図２】（ａ）は他の実施の形態を示す斜視図、（ｂ）は分解斜視図、（ｃ）は被梱包物の斜視図である。
【図３】更に他の実施の形態の斜視図である。
【図４】更に他の実施の形態の斜視図である。
【図５】従来例の斜視図である。
【図６】他の従来例の斜視図である。
【符号の説明】
【００３３】
１  梱包本体
２  開口部
Ａ  被梱包物
ａ  弱い部分
【図１】
2005280720.tif 000003
【図２】
2005280720.tif 000004
【図３】
2005280720.tif 000005
【図４】
2005280720.tif 000006
【図５】
2005280720.tif 000007
【図６】
2005280720.tif 000008